(57)【要約】【課題】充填物および接着剤が必要ないＵＳＢメモリの構造を提供する。【解決手段】ケーシング１０、データ保存装置２０および環状固定カバー３０を備え、ケーシング１０は開口１１および導入溝１２を備え、導入溝１２は少なくとも四つの導入ブロック１２１から構成される。データ保存装置２０は回路板２１を備える。データ保存装置２０上の回路板２１をケーシング１０に挿入するとき、回路板２１は導入溝１２に沿って推入されて固定支持され、それによってデータ保存装置２０とケーシング１０とは接合される。本考案を組み立てるとき、充填物および接着剤を使用することなくデータ保存装置２０の回路板２１の開放端２１２を固定できるので製造工程および材料を低減させることができる。【選択図】図３
0003138686.tif 000002
【実用新案登録請求の範囲】
【請求項１】
開口および導入溝を備え、前記導入溝は少なくとも四つの導入ブロックから構成されるケーシングと、
切欠部が設けられた回路板を備え、前記ケーシングの導入溝内に接合されるデータ保存装置と、
前記データ保存装置外部に嵌設され、接合部、掛合部およびストッパ体を備え、前記掛合部には少なくとも一つの凸点が設けられる環状固定カバーと、を備えることを特徴とするＵＳＢメモリの構造。
【請求項２】
前記各導入ブロックは、前記ケーシング内側底部に設けられることを特徴とする請求項１記載のＵＳＢメモリの構造。
【請求項３】
前記各導入ブロックは、台形のブロックであることを特徴とする請求項２記載のＵＳＢメモリの構造。
【考案の詳細な説明】
【技術分野】
【０００１】
本考案はＵＳＢメモリの構造に関し、特に迅速に組立およびデータ保存装置の固定を行なうことができるＵＳＢメモリの構造に関する。
【背景技術】
【０００２】
図１は従来技術によるＵＳＢメモリの構造を示す立体分解図である。図２は従来技術によるＵＳＢメモリの構造を示す断面図である。図に示すように、ケーシング９０、固定リング９１およびコネクタ９２を備え、コネクタ９２は回路板９３と電気的に接続される。回路板９３をケーシング９０内に挿入するとき、接着剤をケーシング９０と回路板９３との間に塗布するか、或いは充填物９４を回路板９３とケーシング９０との間の隙間に充填する必要があり、それによって回路板９３の開放端が固定されて回路板９３が揺動することはない。また、ＵＳＢメモリが外部からの衝撃を受けたとき、回路板９３は充填物による緩衝または接着剤による固定作用により、揺動して脱落することのを防ぐことができる。
【０００３】
従来技術によるＵＳＢメモリは、接着剤が塗布されるか、或いは充填物９４が充填されることによって防振が達成されるが、前述の二種の方式は時間および労力が掛かってしまい、生産速度を高めることができない。また、ＵＳＢメモリが運転されるとき、回路板９３上の電子素子の運転によって熱が発生するが、充填物９４によって放熱が妨げられて好適な放熱が行なわれない場合、チップが容易に破損する。また、接着剤が電子素子に付着した場合も放熱が妨げられてＵＳＢメモリの性能が影響を受ける。
【０００４】
上述の欠点に鑑み、本考案の考案者は長年の経験に基づいて従来技術の欠点を解決した本考案を案出した。
【特許文献１】登録実用新案公報第３０８０７１３号明細書
【考案の開示】
【考案が解決しようとする課題】
【０００５】
本考案の目的は、充填物および接着剤が必要ないＵＳＢメモリの構造を提供することにある。
【課題を解決するための手段】
【０００６】
上記課題を解決するために、請求項１の考案は、開口および導入溝を備え、導入溝は少なくとも四つの導入ブロックから構成されるケーシングと、切欠部が設けられた回路板を備え、ケーシングの導入溝内に接合されるデータ保存装置と、データ保存装置外部に嵌設され、接合部、掛合部およびストッパ体を備え、掛合部には少なくとも一つの凸点が設けられる環状固定カバーと、を備えることを特徴とするＵＳＢメモリの構造である。
【０００７】
請求項２の考案は、各導入ブロックは、ケーシング内側底部に設けられることを特徴とする請求項１記載のＵＳＢメモリの構造である。
【０００８】
請求項３の考案は、各導入ブロックは、台形のブロックであることを特徴とする請求項２記載のＵＳＢメモリの構造である。
【考案の効果】
【０００９】
回路板を導入溝に固定するとき、回路板は導入ブロック上に支持され、それによって回路板の開放端に支持固定点が形成される。
ケーシングと回路板の間に充填物を充填したり、接着剤でケーシングと回路板とを接着したりする必要がないので、製造工程および材料を減少させることができ、それによって故障の発生を低減し、生産速度を向上させることができる。
各導入ブロックがケーシング内側底部に設けられるので製造に便利であり、各導入ブロックを台形のブロックにして形成される導入溝の幅を上から下に除々に縮小させ、回路板を設置するときの推動および固定を容易にすることができる。
【考案を実施するための最良の形態】
【００１０】
本考案の目的、特徴および効果を示す実施例を図に沿って詳細に説明する。
【００１１】
図３に示すように、本考案の一実施例はケーシング１０、データ保存装置２０および環状固定カバー３０を備える。ケーシング１０は開口１１および導入溝１２を備え、導入溝１２は少なくとも四つの導入ブロック１２１が設けられ、四つの導入ブロック１２１がお互いに組み合わされて導入溝１２を形成する。データ保存装置２０は回路板２１を備え、回路板２１のデータ保存装置２０との接続端は固定端２１１であり、他端は開放端２１２である。環状固定カバー３０は接合部３１、掛合部３２およびストッパ体３３を備え、掛合部３２には少なくとも凸点３２２およびストッパ部３２１が設けられ、ストッパ部３２１は掛合部３２の辺縁から内側に湾曲して形成され、上述のデータ保存装置２０が接合部３１を貫通した後、ストッパ部３２１の内側に支持される。接合部３１はケーシング１０の開口１１から挿入され、開口１１と緊密に接合されるので脱落しない。また、ストッパ体３３は開口１１周縁に支持されるので環状固定カバー３０はそれ以上内側に移動しない。凸点３２２は掛合部３２の一側に位置し、ＵＳＢメモリを保護する蓋体を掛合するのに使用される。
【００１２】
図５の断面図に示すように、データ保存装置２０上の回路板２１がケーシング１０に挿入されたとき、回路板２１の開放端２１２は導入溝１２に挿入され、回路板２１の開放端２１２は導入溝１２に支持固定され、揺動したり脱落したりすることなく、データ保存装置２０とケーシング１０とが接合されてＵＳＢメモリが構成される。また、図４、６、７に示すように、各導入ブロック１２１がケーシング１０の内側底部に設けられ、各導入ブロック１２１は台形のブロックであり、構成される導入溝１２の幅は上から下に除々に縮小され、回路板２１を設置するときの推動をスムーズにし、確実に固定する作用を有する。
【００１３】
図４に示すように、ケーシング１０の底部には貫通孔が設けられたストラップ設置部１３が設置され、ストラップ設置部１３の一端はケーシング１０内の底縁から突出している。回路板２１をケーシング１０内の導入溝１２に組み合わせるとき、ケーシング１０内の底縁から突出したストラップ設置部１３部分を避けるために、回路板２１には切欠部２１２１が設けられ、それによってケーシング１０内の底縁部分のストラップ設置部１３を避けて導入溝１２に固定することができる。
【００１４】
図８、９に示すように、本考案は蓋体４０を組み合わせることができ、蓋体４０は環状固定カバー３０の掛合部３２上に嵌設され、掛合部３２の凸点３２２が蓋体４０内縁に掛合されることによって蓋体４０をＵＳＢメモリに設置することができ、データ保存装置２０の保護を行なうことができる。
【００１５】
以上のように、本考案を組み立てるとき、充填物または接着剤を使用することなく回路板の開放端を固定することができるので製造工程および必要な材料を省略することができる。また、導入ブロックの配列によって回路板を確実に固定することができる。従って本考案は産業上の利用性、新規性および進歩性を有する。
【００１６】
以上の説明は本考案の好適な実施例を示したものであり、本考案の実施範囲を限定するものではなく、本考案の実用新案登録請求の範囲に基づく均等効果である変更は全て本考案に含まれる。
【図面の簡単な説明】
【００１７】
【図１】従来技術によるＵＳＢメモリの構造を示す立体分解図である。
【図２】従来技術によるＵＳＢメモリの構造を示す断面図である。
【図３】本考案によるＵＳＢメモリの構造を示す立体分解図である。
【図４】本考案によるＵＳＢメモリの構造を示す立体分解図である。
【図５】本考案によるＵＳＢメモリの構造を示す断面図である。
【図６】本考案によるＵＳＢメモリの構造を示す断面図である。
【図７】本考案によるＵＳＢメモリの導入溝の構造を示す断面図である。
【図８】本考案によるＵＳＢメモリの構造を示す斜視図である。
【図９】本考案によるＵＳＢメモリの構造を示す斜視図である。
【符号の説明】
【００１８】
１０  ケーシング
１１  開口
１２  導入溝
１２１  導入ブロック
１３  ストラップ設置部
２０  データ保存装置
２１  回路板
２１１  固定端
２１２  開放端
２１２１  切欠部
３０  環状固定カバー
３１  接合部
３２  掛合部
３２１  ストッパ体
３２２  凸点
３３  ストッパ部
４０  蓋体
【図１】
0003138686.tif 000003
【図２】
0003138686.tif 000004
【図３】
0003138686.tif 000005
【図４】
0003138686.tif 000006
【図５】
0003138686.tif 000007
【図６】
0003138686.tif 000008
【図７】
0003138686.tif 000009
【図８】
0003138686.tif 000010
【図９】
0003138686.tif 000011